(57)【要約】【課題】高さ方向の寸法が低く、広視野範囲の多点測距式オートフォーカスを実現することのできるカメラを提供することである。【解決手段】撮影レンズからの光束は、クイックリターンミラー３１でボディユニット３０の横方向に反射され、サブミラー７０、フォーカシングスクリーン７１を介して第２ミラーでボディユニット３０の上方向へ反射される。第２ミラーで反射された光束は、第３ミラー７３でクイックリターンミラー３１で反射された光束と反対方向に反射され、更に第４ミラー７４によってボディユニット３０後方のルーペ３３に向けて反射される。また、クイックリターンミラー３１で反射された光束の一部はサブミラー７０で反射されて、該サブミラー７０の反射位置に応じて配置されたＡＦセンサユニット３５ａ、３５ｂ、３５ｃに取り込まれ、これにより光学像の結像位置が検出される。【選択図】      図１
2006072144.tif 000002
【特許請求の範囲】
【請求項１】
撮像光学系からの光束を所定の方向へ向けて反射する第１の反射面と、
上記第１の反射面の反射光軸上に配され、上記第１の反射面からの反射光束を所定の方向へ反射する第２の反射面と、
上記第２の反射面の反射光軸上に配され、上記第２の反射面からの反射光束を所定の方向へ反射する第３の反射面と、
上記第３の反射面の反射光軸上に配され、上記第３の反射面からの反射光束を所定の方向へ反射する第４の反射面と、
上記第１の反射面の反射光軸上にあって、上記撮像光学系の結像位置に配されるスクリーンと、
上記第４の反射面の反射光軸上に配され、上記撮像光学系により上記スクリーン上に結像された像を観察するための接眼光学系と、
上記第１の反射面と第２の反射面との間に配され、上記第１の反射面からの反射光束の少なくとも一部を所定の方向へ反射させると共に、上記第１の反射面からの反射光束の他の一部を、上記第１の反射面からの反射光軸に沿う方向に透過させる光路分割素子と、
上記光路分割素子からの反射光束を用いて、上記撮像光学系の焦点位置を検出するための焦点位置検出手段と、
を具備し、
上記光路分別素子の反射光束の所定の反射方向は、少なくとも２つの方向であることを特徴とするカメラ。
【請求項２】
上記光路分割素子は、上記第１の反射面からの反射光束に対向する面が曲面であることを特徴とする請求項１に記載のカメラ。
【請求項３】
上記光路分割素子は、視野の長手方向と直交する方向に曲率を持つ面を有して形成されることを特徴とする請求項２に記載のカメラ。
【請求項４】
上記光路分割素子は、視野の長手方向と平行な方向に曲率を持つ面を有して形成されることを特徴とする請求項２に記載のカメラ。
【請求項５】
上記光路分割素子は、上記第１の反射面からの反射光束に対向する面に、少なくとも２つの異なる角度をなす反射平面を設けたことを特徴とする請求項１に記載のカメラ。
【請求項６】
上記焦点位置検出手段は、少なくとも２つあることを特徴とする請求項１乃至５の何れか１項に記載のカメラ。
【請求項７】
上記少なくとも２つの焦点検出手段は、同一構成であることを特徴とする請求項６に記載のカメラ。
【請求項８】
撮像光学系からの光束を所定の方向へ向けて反射する第１の反射面と、
上記第１の反射面の反射光軸上に配され、上記第１の反射面からの反射光束を所定の方向へ反射する第２の反射面と、
上記第１の反射面の反射光軸上にあって、上記撮像光学系の結像位置に配されるスクリーンと、
上記第１の反射面と第２の反射面との間に配され、上記第１の反射面からの反射光束の少なくとも一部を所定の方向へ反射させると共に、上記第１の反射面からの反射光束の他の一部を、上記第１の反射面からの反射光軸に沿う方向に透過させる光路分割素子と、
上記光路分割素子からの反射光束を用いて、上記撮像光学系の焦点位置を検出するための焦点位置検出手段と、
を具備し、
上記光路分別素子の反射光束の所定の反射方向は、少なくとも２つの方向であることを特徴とするカメラ。
【請求項９】
上記光路分割素子は、上記第１の反射面からの反射光束に対向する面が曲面であることを特徴とする請求項８に記載のカメラ。
【請求項１０】
上記光路分割素子は、視野の長手方向と直交する方向に曲率を持つ面を有して形成されることを特徴とする請求項９に記載のカメラ。
【請求項１１】
上記光路分割素子は、視野の長手方向と平行な方向に曲率を持つ面を有して形成されることを特徴とする請求項９に記載のカメラ。
【請求項１２】
上記光路分割素子は、上記第１の反射面からの反射光束に対向する面に、少なくとも２つの異なる角度をなす反射平面を有して形成されることを特徴とする請求項８に記載のカメラ。
【請求項１３】
上記焦点位置検出手段は、少なくとも２つあることを特徴とする請求項８乃至１２の何れか１項に記載のカメラ。
【請求項１４】
上記少なくとも２つ以上の焦点検出手段は、同一構成であることを特徴とする請求項１３に記載のカメラ。
【請求項１５】
撮像光学系からの光束を所定の方向へ向けて反射する第１の反射面と、
上記第１の反射面の反射光軸上に配置され、上記第１の反射面からの反射光束を上記反射光軸とは異なる方向に向けて反射する第２の反射面と、
上記第１の反射面と上記第２の反射面との間に配され、上記第１の反射面からの反射光束の少なくとも一部を上記第１及び第２の反射面以外の少なくとも２つの方向に向けて反射すると共に、上記第１の反射面からの反射光束の他の一部を、上記第１の反射面からの反射光軸に沿う方向に透過させる光路分割素子と、
上記光路分割素子からの反射光束を用いて、上記撮像光学系の焦点位置を検出するもので、上記光路分別素子の反射光束の所定の反射方向に応じて設けられた少なくとも２つの焦点位置検出手段と、
を具備することを特徴とするカメラ。
【請求項１６】
上記光路分割素子は、上記第１の反射面からの反射光束に対向する面が曲面であることを特徴とする請求項１５に記載のカメラ。
【請求項１７】
上記光路分割素子は、視野の長手方向と直交する方向に曲率を持つ面を有して形成されることを特徴とする請求項１６に記載のカメラ。
【請求項１８】
上記光路分割素子は、視野の長手方向と平行な方向に曲率を持つ面を有して形成されることを特徴とする請求項１６に記載のカメラ。
【請求項１９】
上記光路分割素子は、上記第１の反射面からの反射光束に対向する面に、少なくとも２つの異なる角度をなす反射平面を有して形成されることを特徴とする請求項１５に記載のカメラ。
【請求項２０】
上記少なくとも２つの焦点検出手段は、同一構成であることを特徴とする請求項１５に記載のカメラ。
【請求項２１】
撮像光学系からの光束を所定の方向へ向けて反射する第１の反射面と、
上記第１の反射面の反射光軸上に配され、上記第１の反射面からの反射光束を所定の方向へ反射する第２の反射面と、
上記第２の反射面の反射光軸上に配され、上記第２の反射面からの反射光束を所定の方向へ反射する第３の反射面と、
上記第３の反射面の反射光軸上に配され、上記第３の反射面からの反射光束を所定の方向へ反射する第４の反射面と、
上記第１の反射面の反射光軸上であって、上記撮像光学系の結像位置に配されるスクリーンと、
上記第４の反射面の反射光軸上に配され、上記撮像光学系により上記スクリーン上に結像された像を観察するための接眼光学系と、
上記第１の反射面と上記第２の反射面との間に配され、上記第１の反射面からの反射光束の少なくとも一部を所定の少なくとも２つの方向へ反射させると共に、上記第１の反射面からの反射光束の他の一部を上記第１の反射面からの反射光軸に沿う方向に透過させる光路分割素子と、
上記光路分割素子からの反射光束を用いて、上記撮像光学系の焦点位置を検出するもので、上記光路分別素子の反射光束の所定の反射方向に応じて設けられた少なくとも２つの焦点位置検出手段と、
を具備することを特徴とするカメラ。
【請求項２２】
上記光路分割素子は、上記第１の反射面からの反射光束に対向する面が曲面であることを特徴とする請求項２１に記載のカメラ。
【請求項２３】
上記光路分割素子は、視野の長手方向と直交する方向に曲率を持つ面を有して形成されることを特徴とする請求項２２に記載のカメラ。
【請求項２４】
上記光路分割素子は、視野の長手方向と平行な方向に曲率を持つ面を有して形成されることを特徴とする請求項２２に記載のカメラ。
【請求項２５】
上記光路分割素子は、上記第１の反射面からの反射光束に対向する面に、少なくとも２つの異なる角度をなす反射平面を設けたことを特徴とする請求項２１に記載のカメラ。
【請求項２６】
上記少なくとも２つの焦点検出手段は、同一構成であることを特徴とする請求項２１に記載のカメラ。
【請求項２７】
上記光路分割素子は、上記スクリーンよりも上記第１の反射面側に配置されることを特徴とする請求項２１に記載のカメラ。
【請求項２８】
上記光路分割素子は、ハーフミラーであることを特徴とする請求項２１に記載のカメラ。
【請求項２９】
撮像光学系から入射する光束を、撮影視野範囲の長手方向である第１の方向に反射する第１の反射面と、
上記第１の反射面の反射光軸上に配され、上記第１の反射面からの反射光束を、上記第１の方向と略直交する第２の方向に反射する第２の反射面と、
上記第２の反射面の反射光軸上に配され、上記第２の反射面からの反射光束を、上記第１の方向と反対の第３の方向に反射する第３の反射面と、
上記第３の反射面の反射光軸上に配され、上記第３の反射面からの反射光束を、上記撮像光学系から入射する光束の入射方向と略同一方向に反射する第４の反射面と、
上記第１の反射面の反射光軸上であって、上記撮像光学系の結像位置に配されるスクリーンと、
上記第４の反射面の反射光軸上に配され、上記撮像光学系により上記スクリーン上に結像された像を観察するための接眼光学系と、
上記第１の反射面と第２の反射面との間に配され、上記第１の反射面からの反射光束の少なくとも一部を所定の少なくとも２つの方向へ反射させると共に、上記第１の反射面からの反射光束の他の一部を上記第１の反射面からの反射光軸に沿う方向に透過させる光路分割素子と、
上記光路分割素子からの反射光を用いて、上記撮像光学系の焦点位置を検出するもので、上記光路分別素子の反射光束の所定の反射方向に応じて設けられた少なくとも２つの焦点位置検出手段と、
を具備することを特徴とするカメラ。
【請求項３０】
上記光路分割素子は、上記第１の反射面からの反射光束に対向する面が曲面であることを特徴とする請求項２９に記載のカメラ。
【請求項３１】
上記光路分割素子は、視野の長手方向と直交する方向に曲率を持つ面を有して形成されることを特徴とする請求項３０に記載のカメラ。
【請求項３２】
上記光路分割素子は、視野の長手方向と平行な方向に曲率を持つ面を有して形成されることを特徴とする請求項３０に記載のカメラ。
【請求項３３】
上記光路分割素子は、上記第１の反射面からの反射光束に対向する面に、少なくとも２つの異なる角度をなす反射平面を設けたことを特徴とする請求項２９に記載のカメラ。
【請求項３４】
上記少なくとも２つの焦点検出手段は、同一構成であることを特徴とする請求項２９に記載のカメラ。
【請求項３５】
上記光路分割素子は、上記スクリーンよりも上記第１の反射面側に配置されることを特徴とする請求項２９に記載のカメラ。
【請求項３６】
上記光路分割素子は、ハーフミラーであることを特徴とする請求項２９に記載のカメラ。
【発明の詳細な説明】
【技術分野】
【０００１】
本発明は、撮像素子を有するカメラに係り、特にカメラシステムの中の自動焦点検出ユニットの配置に関するものである。
【背景技術】
【０００２】
従来の位相差式オートフォーカス（ＡＦ）カメラは、一眼レフレックスカメラ（以下、単に一眼レフカメラと略記する）のクイックリターンミラーをハーフミラーで構成し、その後方にサブミラーを配置してカメラ下方に撮影光束を反射してＡＦユニットに光束を導いていた。
【０００３】
しかし、このような方法の場合、ミラー退避を可能とするための物理的制約により、クイックリターンミラー全面の光束を、ＡＦユニットに反射することは不可能であり、視野中央付近の範囲しか測距することができないものであった。
【０００４】
また、クイックリターンミラーの反射光束をＡＦユニットに導く技術が、一般に知られている（例えば、特許文献１及び特許文献２参照）。
【特許文献１】特開平９−４３５０６号公報
【特許文献２】特開平６−１８７７３号公報
【発明の開示】
【発明が解決しようとする課題】
【０００５】
しかしながら、上記特許文献１に記載のものでは、視野中央付近しか測距することができない。したがって、この特許文献１に記載の方法で広視野を実現しようとした場合、ファインダ光学系の高さ方向の厚みが増してしまい、カメラの高さ方向の寸法が大きくなることが明らかである。
【０００６】
更に、上記特許文献２に記載の技術の場合、広視野のＡＦは可能であるが、ＡＦユニットの配置される位置がファインダ光学系よりも高い位置になる。したがって、やはりカメラの高さ方向が高くならざるを得ないものであった。
【０００７】
したがって本発明の目的は、上記実情に鑑みてなされたものであり、高さ方向の寸法が低く、広視野範囲の多点測距式オートフォーカスを実現することのできるカメラを提供することを目的とする。
【課題を解決するための手段】
【０００８】
すなわち請求項１に記載の発明は、撮像光学系からの光束を所定の方向へ向けて反射する第１の反射面と、上記第１の反射面の反射光軸上に配され、上記第１の反射面からの反射光束を所定の方向へ反射する第２の反射面と、上記第２の反射面の反射光軸上に配され、上記第２の反射面からの反射光束を所定の方向へ反射する第３の反射面と、上記第３の反射面の反射光軸上に配され、上記第３の反射面からの反射光束を所定の方向へ反射する第４の反射面と、上記第１の反射面の反射光軸上にあって、上記撮像光学系の結像位置に配されるスクリーンと、上記第４の反射面の反射光軸上に配され、上記撮像光学系により上記スクリーン上に結像された像を観察するための接眼光学系と、上記第１の反射面と第２の反射面との間に配され、上記第１の反射面からの反射光束の少なくとも一部を所定の方向へ反射させると共に、上記第１の反射面からの反射光束の他の一部を、上記第１の反射面からの反射光軸に沿う方向に透過させる光路分割素子と、上記光路分割素子からの反射光束を用いて、上記撮像光学系の焦点位置を検出するための焦点位置検出手段と、を具備し、上記光路分別素子の反射光束の所定の反射方向は、少なくとも２つの方向であることを特徴とする。
【０００９】
請求項２に記載の発明は、請求項１に記載の発明に於いて、上記光路分割素子は、上記第１の反射面からの反射光束に対向する面が曲面であることを特徴とする。
【００１０】
請求項３に記載の発明は、請求項２に記載の発明に於いて、上記光路分割素子は、視野の長手方向と直交する方向に曲率を持つ面を有して形成されることを特徴とする。
【００１１】
請求項４に記載の発明は、請求項２に記載の発明に於いて、上記光路分割素子は、視野の長手方向と平行な方向に曲率を持つ面を有して形成されることを特徴とする。
【００１２】
請求項５に記載の発明は、請求項１に記載の発明に於いて、上記光路分割素子は、上記第１の反射面からの反射光束に対向する面に、少なくとも２つの異なる角度をなす反射平面を設けたことを特徴とする。
【００１３】
請求項６に記載の発明は、請求項１乃至５の何れか１項に記載の発明に於いて、上記焦点位置検出手段は、少なくとも２つあることを特徴とする。
【００１４】
請求項７に記載の発明は、請求項６に記載の発明に於いて、上記少なくとも２つの焦点検出手段は、同一構成であることを特徴とする。
【００１５】
請求項８に記載の発明は、撮像光学系からの光束を所定の方向へ向けて反射する第１の反射面と、上記第１の反射面の反射光軸上に配され、上記第１の反射面からの反射光束を所定の方向へ反射する第２の反射面と、上記第１の反射面の反射光軸上にあって、上記撮像光学系の結像位置に配されるスクリーンと、上記第１の反射面と第２の反射面との間に配され、上記第１の反射面からの反射光束の少なくとも一部を所定の方向へ反射させると共に、上記第１の反射面からの反射光束の他の一部を、上記第１の反射面からの反射光軸に沿う方向に透過させる光路分割素子と、上記光路分割素子からの反射光束を用いて、上記撮像光学系の焦点位置を検出するための焦点位置検出手段と、を具備し、上記光路分別素子の反射光束の所定の反射方向は、少なくとも２つの方向であることを特徴とする。
【００１６】
請求項９に記載の発明は、請求項８に記載の発明に於いて、上記光路分割素子は、上記第１の反射面からの反射光束に対向する面が曲面であることを特徴とする。
【００１７】
請求項１０に記載の発明は、請求項９に記載の発明に於いて、上記光路分割素子は、視野の長手方向と直交する方向に曲率を持つ面を有して形成されることを特徴とする。
【００１８】
請求項１１に記載の発明は、請求項９に記載の発明に於いて、上記光路分割素子は、視野の長手方向と平行な方向に曲率を持つ面を有して形成されることを特徴とする。
【００１９】
請求項１２に記載の発明は、請求項８に記載の発明に於いて、上記光路分割素子は、上記第１の反射面からの反射光束に対向する面に、少なくとも２つの異なる角度をなす反射平面を有して形成されることを特徴とする。
【００２０】
請求項１３に記載の発明は、請求項８乃至１２の何れか１項に記載の発明に於いて、上記焦点位置検出手段は、少なくとも２つあることを特徴とする。
【００２１】
請求項１４に記載の発明は、請求項１３に記載の発明に於いて、上記少なくとも２つ以上の焦点検出手段は、同一構成であることを特徴とする。
【００２２】
請求項１５に記載の発明は、撮像光学系からの光束を所定の方向へ向けて反射する第１の反射面と、上記第１の反射面の反射光軸上に配置され、上記第１の反射面からの反射光束を上記反射光軸とは異なる方向に向けて反射する第２の反射面と、上記第１の反射面と上記第２の反射面との間に配され、上記第１の反射面からの反射光束の少なくとも一部を上記第１及び第２の反射面以外の少なくとも２つの方向に向けて反射すると共に、上記第１の反射面からの反射光束の他の一部を、上記第１の反射面からの反射光軸に沿う方向に透過させる光路分割素子と、上記光路分割素子からの反射光束を用いて、上記撮像光学系の焦点位置を検出するもので、上記光路分別素子の反射光束の所定の反射方向に応じて設けられた少なくとも２つの焦点位置検出手段と、を具備することを特徴とする。
【００２３】
請求項１６に記載の発明は、請求項１５に記載の発明に於いて、上記光路分割素子は、上記第１の反射面からの反射光束に対向する面が曲面であることを特徴とする。
【００２４】
請求項１７に記載の発明は、請求項１６に記載の発明に於いて、上記光路分割素子は、視野の長手方向と直交する方向に曲率を持つ面を有して形成されることを特徴とする。
【００２５】
請求項１８に記載の発明は、請求項１６に記載の発明に於いて、上記光路分割素子は、視野の長手方向と平行な方向に曲率を持つ面を有して形成されることを特徴とする。
【００２６】
請求項１９に記載の発明は、請求項１５に記載の発明に於いて、上記光路分割素子は、上記第１の反射面からの反射光束に対向する面に、少なくとも２つの異なる角度をなす反射平面を有して形成されることを特徴とする。
【００２７】
請求項２０に記載の発明は、請求項１５に記載の発明に於いて、上記少なくとも２つの焦点検出手段は、同一構成であることを特徴とする。
【００２８】
請求項２１に記載の発明は、撮像光学系からの光束を所定の方向へ向けて反射する第１の反射面と、上記第１の反射面の反射光軸上に配され、上記第１の反射面からの反射光束を所定の方向へ反射する第２の反射面と、上記第２の反射面の反射光軸上に配され、上記第２の反射面からの反射光束を所定の方向へ反射する第３の反射面と、上記第３の反射面の反射光軸上に配され、上記第３の反射面からの反射光束を所定の方向へ反射する第４の反射面と、上記第１の反射面の反射光軸上であって、上記撮像光学系の結像位置に配されるスクリーンと、上記第４の反射面の反射光軸上に配され、上記撮像光学系により上記スクリーン上に結像された像を観察するための接眼光学系と、上記第１の反射面と上記第２の反射面との間に配され、上記第１の反射面からの反射光束の少なくとも一部を所定の少なくとも２つの方向へ反射させると共に、上記第１の反射面からの反射光束の他の一部を上記第１の反射面からの反射光軸に沿う方向に透過させる光路分割素子と、上記光路分割素子からの反射光束を用いて、上記撮像光学系の焦点位置を検出するもので、上記光路分別素子の反射光束の所定の反射方向に応じて設けられた少なくとも２つの焦点位置検出手段と、を具備することを特徴とする。
【００２９】
請求項２２に記載の発明は、請求項２１に記載の発明に於いて、上記光路分割素子は、上記第１の反射面からの反射光束に対向する面が曲面であることを特徴とする。
【００３０】
請求項２３に記載の発明は、請求項２２に記載の発明に於いて、上記光路分割素子は、視野の長手方向と直交する方向に曲率を持つ面を有して形成されることを特徴とする。
【００３１】
請求項２４に記載の発明は、請求項２２に記載の発明に於いて、上記光路分割素子は、視野の長手方向と平行な方向に曲率を持つ面を有して形成されることを特徴とする。
【００３２】
請求項２５に記載の発明は、請求項２１に記載の発明に於いて、上記光路分割素子は、上記第１の反射面からの反射光束に対向する面に、少なくとも２つの異なる角度をなす反射平面を設けたことを特徴とする。
【００３３】
請求項２６に記載の発明は、請求項２１に記載の発明に於いて、上記少なくとも２つの焦点検出手段は、同一構成であることを特徴とする。
【００３４】
請求項２７に記載の発明は、請求項２１に記載の発明に於いて、上記光路分割素子は、上記スクリーンよりも上記第１の反射面側に配置されることを特徴とする。
【００３５】
請求項２８に記載の発明は、請求項２１に記載の発明に於いて、上記光路分割素子は、ハーフミラーであることを特徴とする。
【００３６】
請求項２９に記載の発明は、撮像光学系から入射する光束を、撮影視野範囲の長手方向である第１の方向に反射する第１の反射面と、上記第１の反射面の反射光軸上に配され、上記第１の反射面からの反射光束を、上記第１の方向と略直交する第２の方向に反射する第２の反射面と、上記第２の反射面の反射光軸上に配され、上記第２の反射面からの反射光束を、上記第１の方向と反対の第３の方向に反射する第３の反射面と、上記第３の反射面の反射光軸上に配され、上記第３の反射面からの反射光束を、上記撮像光学系から入射する光束の入射方向と略同一方向に反射する第４の反射面と、上記第１の反射面の反射光軸上であって、上記撮像光学系の結像位置に配されるスクリーンと、上記第４の反射面の反射光軸上に配され、上記撮像光学系により上記スクリーン上に結像された像を観察するための接眼光学系と、上記第１の反射面と第２の反射面との間に配され、上記第１の反射面からの反射光束の少なくとも一部を所定の少なくとも２つの方向へ反射させると共に、上記第１の反射面からの反射光束の他の一部を上記第１の反射面からの反射光軸に沿う方向に透過させる光路分割素子と、上記光路分割素子からの反射光を用いて、上記撮像光学系の焦点位置を検出するもので、上記光路分別素子の反射光束の所定の反射方向に応じて設けられた少なくとも２つの焦点位置検出手段と、を具備することを特徴とする。
【００３７】
請求項３０に記載の発明は、請求項２９に記載の発明に於いて、上記光路分割素子は、上記第１の反射面からの反射光束に対向する面が曲面であることを特徴とする。
【００３８】
請求項３１に記載の発明は、請求項３０に記載の発明に於いて、上記光路分割素子は、視野の長手方向と直交する方向に曲率を持つ面を有して形成されることを特徴とする。
【００３９】
請求項３２に記載の発明は、請求項２９に記載の発明に於いて、上記光路分割素子は、視野の長手方向と平行な方向に曲率を持つ面を有して形成されることを特徴とする。
【００４０】
請求項３３に記載の発明は、請求項２９に記載の発明に於いて、上記光路分割素子は、上記第１の反射面からの反射光束に対向する面に、少なくとも２つの異なる角度をなす反射平面を設けたことを特徴とする。
【００４１】
請求項３４に記載の発明は、請求項２９に記載の発明に於いて、上記少なくとも２つの焦点検出手段は、同一構成であることを特徴とする。
【００４２】
請求項３５に記載の発明は、請求項２９に記載の発明に於いて、上記光路分割素子は、上記スクリーンよりも上記第１の反射面側に配置されることを特徴とする。
【００４３】
請求項３６に記載の発明は、請求項２９に記載の発明に於いて、上記光路分割素子は、ハーフミラーであることを特徴とする。
【発明の効果】
【００４４】
本発明によれば、高さ方向の寸法が低く、広視野範囲の多点測距式オートフォーカスを実現することのできるカメラを提供することができる。
【発明を実施するための最良の形態】
【００４５】
以下、図面を参照して、本発明の実施形態を説明する。
【００４６】
図３は、本発明の第１の実施形態に係る一眼レフカメラのシステム構成を示すブロック図である。
【００４７】
図３に於いて、このカメラシステムは、交換レンズとしてのレンズユニット１０と、カメラ本体としてのボディユニット３０から主に構成されており、ボディユニット３０の前面に対して、所望のレンズユニット１０が着脱自在に設定されている。
【００４８】
上記レンズユニット１０は、上記ボディユニット３０の前面に設けられた、図示されないレンズマウントを介して着脱自在に装着可能である。そして、上記レンズユニット１０は、撮影レンズ１１と、絞り１２と、レンズ駆動機構１３と、絞り駆動機構１４と、レンズ制御用マイクロコンピュータ（以下、Ｌμｃｏｍと略記する）１５とから構成されている。
【００４９】
上記撮影レンズ１１は、レンズ駆動機構１３内に存在する図示されないＤＣモータによって、光軸方向に駆動される。絞り１２は、絞り駆動機構１４内に存在する図示されないステッピングモータによって駆動される。また、Ｌμｃｏｍ１５は、上記レンズ駆動機構１３や絞り駆動機構１４等、レンズユニット１０内の各部を駆動制御する。このＬμｃｏｍ１５は、通信コネクタ２０を介して、後述するボディ制御用マイクロコンピュータ５０と電気的に接続がなされ、該ボディ制御用マイクロコンピュータ５０の指令に従って制御される。
【００５０】
一方、ボディユニット３０は、以下のように構成されている。
【００５１】
レンズユニット１０内の撮影レンズ１１、絞り１２を介して入射される図示されない被写体からの光束は、第１ミラーとしてのクイックリターンミラー３１で反射され、第２ミラー７２、第３ミラー７３、第４ミラー７４等を含むファィンダ光学系（図１、図２参照、詳細は後述する）を介して、接眼光学系の接眼レンズ（ルーペ）３３に至る。また、クイックリターンミラー３１で反射され、後述するフォーカシングスクリーン７１を介して被写体光束の一部は、第２ミラー７２を介して、自動測距を行うための焦点位置検出手段であるＡＦセンサユニット３５及び測光センサ５２に導かれる。尚、図３にはＡＦセンサユニット３５として１つのみが示されるが、実際には後述するように複数のＡＦセンサユニットから成っている。
【００５２】
上記クイックリターンミラー３１の後方には、光軸上のフォーカルプレーン式のシャッタ３７と、光学ローパスフィルタ３８と、光学系を通過した被写体像を光電変換するための光電変換素子であるＣＣＤユニット４０が設けられている。つまり、クイックリターンミラー３１が光路より退避した場合、撮影レンズ１１及び絞り１２を通った光束は、ＣＣＤユニット４０の撮像面上に結像される。
【００５３】
尚、上記ＣＣＤユニット４０のＣＣＤの撮像範囲の長手方向とカメラ（ボディユニット３０）の長手方向は一致している。また、カメラシステムの撮影視野範囲の長手方向もカメラの長手方向と同一方向である。
【００５４】
このボディユニット３０は、画像処理を行うための画像処理コントローラ４６を有しており、この画像処理コントローラ４６には、ＣＣＤユニット４０に接続されたＣＣＤインターフェース回路４１と、記憶領域として設けられたＳＤＲＡＭ４２、ＦｌａｓｈＲｏｍ４３及び記録メディア４４と、液晶モニタ４５等が接続されている。これらは、電子撮像機能と共に電子記録表示機能を提供できるように構成されている。
【００５５】
上記記録メディア４４は、図示されないカメラのインターフェースを介してボディユニット３０に対し脱着可能な各種のメモリカードや外付けのハードディスクドライブ（ＨＤＤ）等の外部記録媒体である。
【００５６】
上記画像処理コントローラ４６は、測光回路５１を介した測光センサ５２と、ミラー駆動機構５４と、ＡＦセンサ駆動回路５５と、シャッタチャージ機構５６と、シャッタ制御回路５７と、不揮発性メモリ（ＥＥＰＲＯＭ）５８と、ストロボ制御回路６１を介したストロボ６２等と共に、このボディユニット３０内の各部を制御するためのボディ制御用マイクロコンピュータ（以下、Ｂμｃｏｍと略記する）５０に接続されている。
【００５７】
上記Ｂμｃｏｍ５０には、更に、当該カメラの動作状態を表示出力によって撮影者へ告知するための動作表示用ＬＣＤ６３と、カメラ操作スイッチ（ＳＷ）６４と、電源回路６５を介して電池６６とが接続されている。
【００５８】
尚、上記Ｂμｃｏｍ５０とＬμｃｏｍ１５とは、レンズユニット１０の装着時に於いて、通信コネクタ２０を介して通信可能に電気的接続がなされる。そして、デジタルカメラとしてＬμｃｏｍ１５がＢμｃｏｍ５０に従属的に協働しながら稼動するようになっている。
【００５９】
上記測光回路５１は、測光センサ５２の電気信号に基づいて測光処理する回路である。上記ミラー駆動機構５４はクイックリターンミラー３１を駆動制御する機構であり、ＡＦセンサ駆動回路５５は上記ＡＦセンサユニット３５を駆動制御するための回路である。
【００６０】
また、シャッタチャージ機構５６は、上記シャッタ３７の先幕と後幕を駆動するばねをチャージするものである。シャッタ制御回路５７は、上記シャッタ３７の先幕と後幕の動きを制御すると共に、Ｂμｃｏｍ５０との間でシャッタの開閉動作を制御する信号とストロボと同調する信号の授受を行う。
【００６１】
不揮発性メモリ５８は、上述したＳＤＲＡＭ４２、ＦｌａｓｈＲｏｍ４３、記録メディア４４以外の記憶領域として、カメラ制御に必要な所定の制御パラメータを記憶する記憶手段であり、Ｂμｃｏｍ５０からアクセス可能に設けられている。
【００６２】
ストロボ６２は、図示されない閃光発光管を有して被写体に閃光を照射するものである。そして、ストロボ制御回路６１にて、ストロボ６２の閃光発光管の発光に必要な電荷の充電制御や、ストロボ６２の発光制御が行われる。
【００６３】
動作表示用ＬＣＤ６３は、当該カメラの動作状態を表示出力によってユーザへ告知するためのものである。上記カメラ操作スイッチ６４は切り替え手段として、例えば撮影動作の実行を指示すると共に後述するようにクイックリターンミラー３１を撮影光路の内外に切り替えるレリーズスイッチ、撮影モードと画像表示モードを切り替えるモード変更スイッチ及びパワースイッチ、等、当該カメラを操作するために必要な操作釦を含むスイッチ群で構成される。
【００６４】
更に、電源回路６５は、電源としての電池６６の電圧を、当該カメラシステムの各回路ユニットが必要とする電圧に変換して供給するために設けられている。
【００６５】
次に、上述したファインダ光学系について、図１及び図２を参照して説明する。
【００６６】
図１及び図２は、本実施形態に於いてファインダ観察状態であってファインダ光学系及びＡＦセンサユニット３５ａ〜３５ｃの主要構成部材をカメラボディに組み込んだ状態の配置を示したもので、図１はカメラボディを上面側より見た図、図２は撮影レンズ側から見た正面図である。
【００６７】
また、以下に述べる実施形態の説明に於いて、カメラの通常の使用状態、すなわち通常の撮影時に撮影者がカメラを構えた場合のカメラの状態を横位置として、ボディユニット３０の長手方向を視野範囲の長手方向と一致させて水平方向としている。
【００６８】
このカメラシステムのボディユニット３０の右側（図１、図２に於いて左側）には、撮影者がカメラを容易に把持するためのグリップ６７が形成されている。そして、このグリップ６７の上面部には、カメラ操作スイッチ６４のレリーズスイッチに対応するレリーズ釦６４ａが設けられている。また、カメラボディ３０は、その内部に各種の構成ユニットが配された状態で、外装体により覆われている。
【００６９】
ファインダ光学系は、図１に示されるレンズユニット１０内の撮影レンズ１１を通過した被写体からの光束をルーペ３３へと導くための複数のミラー、すなわち第１ミラーとしてのクイックリターンミラー３１と、第２ミラー７２と、第３ミラー７３と、第４ミラー７４と、サブミラー７０及びフォーカシングスクリーン７１とを有して構成される。そして、クイックリターンミラー３１は第１の反射面を有し、第２ミラー７２、第３ミラー７３及び第４ミラー７４は、それぞれ第２の反射面、第３の反射面及び第４の反射面を形成している。
【００７０】
上記撮影レンズ１１を通過した被写体からの光束は、図示矢印Ａ方向に回動可能な第１の反射部材としてのクイックリターンミラー（第１ミラー）３１に至る。このクイックリターンミラー３１は、被写体観察時は図１に示されるように、撮影レンズ１１とＣＣＤユニット４０との間であって、撮影レンズ１１の撮影光路内（観察位置）に配置される。そして、撮像時は、クイックリターンミラー３１はミラー駆動機構５４によって、図示されない退避位置に移動、すなわち撮影光路より退避される。これにより、被写体からの光束が、シャッタ３７、光学ローパスフィルタ３８を介してＣＣＤユニット４０に導かれるようになっている（図３参照）。
【００７１】
被写体観察時、クイックリターンミラー３１の第１の反射面にて、撮影レンズ１０から入射した被写体光束は、撮影レンズ１０の光軸に対し略９０°の角度であって、ボディユニット３０の長手方向に沿う方向に反射される。つまり、図１及び図２に於いて右方向に反射される。
【００７２】
クイックリターンミラー３１の第１反射面にて反射された光束は、該第１反射面の反射光軸上であって、この反射光軸に対し所定の角度だけ傾いて配置された光路分割素子でありハーフミラーを構成するサブミラー７０に入射する。そして、クイックリターンミラー３１からの反射光束の一部は、このサブミラー７０により上記第１反射面の反射光軸とは異なる方向であって、上記第１反射面側に向けて反射される。つまり、クイックリターンミラー３１からの反射光束の一部は、図１に於いて、ボディユニット３０の左斜め下方向に向けてサブミラー７０により反射される。
【００７３】
尚、上記サブミラー７０はハーフミラーにより構成されるものであり、光束の一部を所定の割合で透過させる光学部材をハーフミラー、或いは半透過ミラーと称するが、必ずしも５０％でなくともよく、例えば３０％であってもよい。
【００７４】
一方、上記クイックリターンミラー３１からの反射光束の他の一部は、サブミラー７０を透過して、クイックリターンミラー３１の第１の反射面の反射光軸上に配置されたフォーカシングスクリーン７１上に結像する。このフォーカシングスクリーン７１は、このファインダ光学系に入射された光束を光学像として結像させるために、該光束を拡散させる拡散面を有するもので、ＣＣＤユニット４０の撮像面上と光学的に等価な位置に配置されている。撮影者は、ルーペ３３からこのフォーカシングスクリーン７１上に結像された像を見て、撮影画面を確認することができる。
【００７５】
フォーカシングスクリーン７１を通った光束は、第２の反射部材である第２ミラー７２により反射される。第２ミラー７２は、上記クイックリターンミラー３１の第１の反射面からの反射光軸上であって、その反射面である第２反射面が上記第１の反射面からの反射光軸に対し、所定の角度だけ傾いて配置されている。そして、第２ミラー７２に入射した上記第１反射面からの反射光束は、上記第１の反射面からの反射光軸に対し略９０°の角度で反射される。つまり、クリックリターンミラー３１の第１反射面からの反射光束は、第２ミラー７２の第２反射面にて、図２に於いてボディユニット３０の上方に向けて反射される。
【００７６】
上記第２ミラー７２の第２反射面で反射された光束は、第２反射面の反射光軸上であって、その反射面である第３反射面が、上記第２反射面の反射光軸に対し所定の角度だけ傾いて配置される第３ミラー７３に入射する。
【００７７】
第３の反射部材である第３ミラー７３に入射した上記第２反射面からの反射光束は、第３ミラー７３の第３反射面にて、上記第２反射面からの反射光軸に対し略９０°の角度であって、上記クイックリターンミラー３１の第１反射面による反射方向と相反する方向に反射される。つまり、第２ミラー７２の第２反射面からの反射光束は、第３ミラー７３の第３反射面にて、図２に於いてボディユニット３０の左方向に向けて反射する。換言すれば、クイックリターンミラー３１の第１反射面にて反射された光束は、第２、第３ミラー７２、７３によって折り返すように導かれ、第３ミラー７３の第３反射面の反射光軸は、上記クイックリターンミラー３１の第１反射面の反射光軸と略平行となる。
【００７８】
上記第３ミラー７３の第３反射面で反射された光束は、第３反射面の反射光軸上であって、その反射面である第４反射面が上記第３ミラー７３の第３反射面の反射光軸に対し所定の角度だけ傾いて配置される第４ミラー７４に入射する。
【００７９】
第４の反射部材である第４ミラー７４に入射した上記第３反射面からの反射光束は、第４ミラー７４の第４反射面にて、上記第３反射面からの反射光軸に対し略９０°の角度であって、上記撮影レンズ１１からクイックリターンミラー３１への入射方向と相反する方向に反射される。つまり、第３ミラー７３の第３反射面からの反射光束は、第４ミラー７４の第４反射面にて、図１に於いて上方、すなわちボディユニット３０の後方に向けて反射される。そして、第４反射面の反射光軸は、上記撮影レンズ１１の光軸と略平行となっている。
【００８０】
第４ミラー７４の第４反射面にて反射された光束は、第４反射面の反射光軸上に配置されたルーペ３３に入射する。
【００８１】
このように、撮影レンズ１１からの被写体光束は、第１乃至第４反射面によって、その像が正立正像となるように反転されてルーペ３３に導かれる。これにより、ルーペ３３を通して、撮影者の眼でフォーカシングスクリーン７１上に結像した被写体像が観察可能となる。
【００８２】
上記サブミラー７０は、クイックリターンミラー３１からの反射光束の一部を、上記第１反射面の反射光軸とは異なる方向であって、上記第１反射面側に向けて反射するものである。ここで、サブミラー７０は、図１に示されるように、その表面が凸形状の曲面を有して形成されている。この場合、サブミラー７０は、図４に示される視野８０の長手方向と平行な方向に曲率を有して構成される。したがって、クイックリターンミラー３１からの反射光束の一部は、サブミラー７０の表面上の反射位置によって反射される方向が異なる。
【００８３】
つまり、クイックリターンミラー３１の第１反射面の反射光軸上で反射された光束は、サブミラー７０の中心線上でＡＦセンサユニット３５ａに向けて反射される。このＡＦセンサユニット３５ａは、図３に示される上述したＡＦセンサユニット３５に対応するもので、この場合、サブミラー７０の反射位置に応じてＡＦセンサユニット３５ａ〜３５ｃが配設されている。例えば、サブミラー７０の中心線近傍位置で反射された光束は、ＡＦセンサユニット３５ａに入射する。そして、サブミラー７０の中心線より右側位置で反射された光束は、ＡＦセンサユニット３５ａより右側（図１に於いて下側）に配置されたＡＦセンサユニット３５ｂに入射し、サブミラー７０の中心線より左側位置で反射された光束は、ＡＦセンサユニット３５ａより左側（図１に於いて上側）に配置されたＡＦセンサユニット３５ｃに入射する。
【００８４】
これらのＡＦセンサユニット３５ａ〜３５ｃは、それぞれフォーカシングスクリーン７１に対して正対して配置されており、２次結像レンズによって作られる像を瞳分割して光電素子に導くことで、周知の位相差方式のＡＦセンサユニットを構成している。上記ＡＦセンサユニット３５ａ〜３５ｃは、それぞれ、中心、右、左の３点の測距ポイントを有するセンサ、光学系から成るもので、同一のモジュールを３つ配置している。
【００８５】
このようなレイアウトにより、図４に示されるように、視野８０に於いて、画面中央の水平方向にＡＦセンサユニット３５ａの３点の測距ポイント８１ａが配置される。そして、これらの測距ポイント８１ａの右側で画面の垂直方向にＡＦセンサユニット３５ｂの３点の測距ポイント８１ｂが、測距ポイント８１ａの左側で画面の垂直方向にＡＦセンサユニット３５ｃの３点の測距ポイント８１ｃが、それぞれ配置される。これにより、９点の測距ポイントを実現することができる。
【００８６】
これらのＡＦセンサユニット３５ａ〜３５ｃ内の図示されないＡＦセンサからの出力は、ＡＦセンサ駆動回路５５を介してＢμｃｏｍ５０へ送信されて、周知の測距処理が行われる。
【００８７】
尚、ここでは各ＡＦセンサユニット３５ａ〜ｃの測距ポイント８１ａ〜８１ｃは、それぞれ３箇所として表しているが、これに限られるものではない。
【００８８】
尚、本実施形態では、図１及び図２に示されるように、クイックリターンミラー３１、第２ミラー７２、第３ミラー７３及び第４ミラー７４は、入射光束に対して略９０°の角度で反射するように配置しているが、これに限られるものではない。
【００８９】
このように構成されたカメラシステムでは、各部が次のように稼動する。
【００９０】
画像処理コントローラ４６は、Ｂμｃｏｍ５０からの指令に従って、ＣＣＤインターフェース回路４１を制御して、ＣＣＤユニット４０から画像データを取り込む。この画像データは、画像処理コントローラ４０でビデオ信号に変換され、液晶モニタ４５にて出力表示される。ユーザはこの液晶モニタ４５の表示画像から、撮影した画像イメージを確認することができる。
【００９１】
ＳＤＲＡＭ４２は、画像データの一時的保管用メモリであり、画像データが変換される際のワークエリア等に使用される。また、この画像データは、ＪＰＥＧデータに変換された後には、記録メディア４４に保管されるように設定されている。
【００９２】
ＣＣＤユニット４０は、透明な光学ローパスフィルタ３８によって保護されている。
【００９３】
ミラー駆動機構５４は、クイックリターンミラー３１を撮影位置とファインダ観察位置に駆動するための機構である。このクイックリターンミラー３１がファインダ観察位置にある場合は、撮影レンズ１１からの光束は、ハーフミラーを構成する第２ミラー７２により、ＡＦセンサユニット３５側とファインダ側へと分割されて導かれる。
【００９４】
ＡＦセンサユニット３５ａ〜３５ｃ内のＡＦセンサからの出力は、ＡＦセンサ駆動回路５５を介してＢμｃｏｍ５０へ送信されて、周知の測距処理が行われる。
【００９５】
また、第４ミラー７４に隣接するアイピース３３からは、ユーザが被写体を目視することができる。
【００９６】
一方、第２ミラー７２を透過したフォーカシングスクリーン７１の結像光束の一部は、測光センサ５２へ導かれ、ここで検知された光量に基づいて、測光回路５１で周知の測光処理が行われる。
【００９７】
このように、第１の実施形態によれば、全撮影光束を視野の長手方向に反射するクイックリターンミラー３１とフォーカシングスクリーン７１の間にサブミラー７０を配置したので、視野範囲全体をＡＦセンサユニット３５ａ〜３５ｃに導くことができ、広視野範囲の多点測距式オートフォーカスカメラを、高さ方向の寸法を低くして実現することができる。
【００９８】
（第２の実施形態）
次に、本発明の第２の実施形態について説明する。
【００９９】
図５及び図６は、第２の実施形態に於いてファインダ観察状態であってファインダ光学系及びＡＦセンサユニット３５ａ〜３５ｃの主要構成部材をカメラボディに組み込んだ状態の配置を示したもので、図５はカメラボディを上面側より見た図、図６は撮影レンズ側から見た正面図である。
【０１００】
上述した第１の実施形態では、表面が凸形状の曲面を有するサブミラーを、視野の長手方向と平行な方向に曲率を有して構成されるものとして説明したが、本第２の実施形態では、視野の長手方向と直交する方向に曲率を有して構成されたサブミラーを使用した例について説明する。
【０１０１】
尚、以下に述べる実施形態に於いて、サブミラーの構成及びＡＦセンサユニットの配置以外は、図１乃至図３に示される第１の実施形態のカメラシステムの構成と同じであり、基本的な撮影動作についても同様である。したがって、これらの構成及び動作については、同一の部分には同一の参照番号を付して、その図示及び説明は省略する。
【０１０２】
第２の実施形態に於いて、クイックリターンミラー３１の第１反射面にて反射された光束は、該第１反射面の反射光軸上であって、この反射光軸に対し所定の角度だけ傾いて配置された光路分割素子でありハーフミラーを構成するサブミラー７６に入射する。そして、クイックリターンミラー３１からの反射光束の一部は、このサブミラー７６により上記第１反射面の反射光軸とは異なる方向に反射される。
【０１０３】
尚、上記サブミラー７６はハーフミラーにより構成されるものであり、光束の一部を所定の割合で透過させる光学部材をハーフミラー、或いは半透過ミラーと称するが、必ずしも５０％でなくともよく、例えば３０％であってもよい。
【０１０４】
上記サブミラー７６は、図６に示されるように、その表面が凸形状の曲面を有して形成されている。この場合、サブミラー７６は、視野８０の長手方向と直交する方向に曲率を有して構成される。したがって、クイックリターンミラー３１からの反射光束の一部は、サブミラー７０の表面上の反射位置によって反射される方向が異なる。
【０１０５】
つまり、クイックリターンミラー３１の第１反射面の反射光軸上で反射された光束は、サブミラー７６の中心線近傍ではＡＦセンサユニット３５ａに入射する。そして、サブミラー７６の中心線より上側位置で反射された光束は、ＡＦセンサユニット３５ａより上側（図６に於いて上側）に配置されたＡＦセンサユニット３５ｂに入射し、サブミラー７６の中心線より下側位置で反射された光束は、ＡＦセンサユニット３５ａより下側（図６に於いて下側）に配置されたＡＦセンサユニット３５ｃに入射する。
【０１０６】
これらのＡＦセンサユニット３５ａ〜３５ｃは、それぞれフォーカシングスクリーン７１に対して正対して配置されており、２次結像レンズによって作られる像を瞳分割して光電素子に導くことで、位相差方式のＡＦセンサユニットを構成している。
【０１０７】
この場合、図７に示されるように、視野８０に於いて、画面中央の水平方向にＡＦセンサユニット３５ａの測距ポイント８１ａが配置される。そして、これらの測距ポイント８１ａの上側で画面の水平方向にＡＦセンサユニット３５ｂの測距ポイント８１ｂが、測距ポイント８１ａの下側で画面の水平方向にＡＦセンサユニット３５ｃの測距ポイント８１ｃが、それぞれ配置される。これらのＡＦセンサユニット３５ａ〜３５ｃ内の図示されないＡＦセンサからの出力が、ＡＦセンサ駆動回路５５を介してＢμｃｏｍ５０へ送信されて、周知の測距処理が行われる。
【０１０８】
このように、第２の実施形態によれば、ＡＦセンサユニットをカメラの縦方向に配設したので、上述した第１の実施形態に比べて、カメラの撮影レンズの光軸方向の厚さを薄くすることができる。
【０１０９】
（第３の実施形態）
次に、本発明の第３の実施形態について説明する。
【０１１０】
図８及び図９は、第３の実施形態に於いてファインダ観察状態であってファインダ光学系及びＡＦセンサユニット３５ａ〜３５ｃの主要構成部材をカメラボディに組み込んだ状態の配置を示したもので、図８はカメラボディを上面側より見た図、図９は撮影レンズ側から見た正面図である。
【０１１１】
上述した第１及び第２の実施形態では、光路分割素子として、表面が凸形状の曲面を有するサブミラーを使用した例で説明したが、本第３の実施形態では、光路分割素子に複合式のハーフミラーを使用した例について説明する。
【０１１２】
第３の実施形態に於いて、クイックリターンミラー３１の第１反射面にて反射された光束は、該第１反射面の反射光軸上であって、この反射光軸に対し所定の角度だけ傾いて配置された光路分割素子でありハーフミラーを構成するサブミラー７８に入射する。そして、クイックリターンミラー３１からの反射光束の一部は、このサブミラー７８により上記第１反射面の反射光軸とは異なる方向に反射される。
【０１１３】
上記サブミラー７８は複合式のハーフミラーにより構成されるものであり、光束の一部を所定の割合で透過させる光学部材をハーフミラー、或いは半透過ミラーと称するが、必ずしも５０％でなくともよく、例えば３０％であってもよい。
【０１１４】
上記サブミラー７８は、図１０に示されるように、クイックリターンミラー３１の第１反射面からの反射光束に対向する面に、少なくとも２つ以上、この場合３つの異なる角度をなす反射平面７８ａ、７８ｂ、７８ｃを有して構成されている。そして、これらの反射平面は、例えば反射平面７８ｂと反射平面７８ｃとが同じ方向で、両者の間に形成される反射平面７８ａのみが、反射平面７８ｂ及び７８ｃと異なる方向に傾斜している。
【０１１５】
例えば、図８に示されるように、クイックリターンミラー３１の第１反射面の反射光軸上で反射された光束は、サブミラー７８の中心線近傍ではＡＦセンサユニット３５ａに入射する。そして、サブミラー７８の中心線より右側（図８に於いて下側）に配置されたＡＦセンサユニット３５ａに入射する。そして、サブミラー７６の中心線より左側位置で反射された光束は、サブミラー７８の中心線より左側（図８に於いて上側）に配置されたＡＦセンサユニット３５ｂ、３５ｃに入射する。つまり、ＡＦセンサユニット３５ａ〜３５ｃは、互い違いに振り分けられて配設されている。
【０１１６】
このように配設されたＡＦセンサユニット３５ａ〜３５ｃによる視野の測距ポイントの配列は、図７に示される第２の実施形態の場合と同じである。
【０１１７】
このように、第３の実施形態によれば、ＡＦセンサユニットをカメラの下方に配設したので、上述した第２の実施形態に比べて、ボディユニット３０の上方にスペースが空く。したがって、例えば、ボディユニット３０の上方に、ストロボ６２に対応したストロボ発光部６８を設けてもよいし、或いは他の構成部材を設けることも可能である。
【０１１８】
また、上述した第１及び第２の実施形態では、光路分割素子を、その表面が凸形状の曲面を有して、視野８０の長手方向と直交、或いは平行な方向に曲率を有するサブミラーとして説明したが、これに限られるものではない。例えば、クイックリターンミラー３１からの反射光束を３つのＡＦセンサユニット３５ａ〜３５ｃに導くものであれば、曲面ではなく平面のミラーを組み合わせて３方向に反射するようにしてもよい。
【０１１９】
尚、上述した実施形態ではデジタルカメラを例として説明したが、これに限られるものではなく、フィルム使用の一眼レフカメラにも適用可能である。
【０１２０】
以上、本発明の実施形態について説明したが、本発明は上述した実施形態以外にも、本発明の要旨を逸脱しない範囲で種々の変形実施が可能である。
【図面の簡単な説明】
【０１２１】
【図１】本発明の第１の実施形態に於いてファインダ観察状態であってファインダ光学系及びＡＦセンサユニット３５ａ〜３５ｃの主要構成部材をカメラボディに組み込んだ状態の配置を示したもので、カメラボディを上面側より見た図である。
【図２】本発明の第１の実施形態に於いてファインダ観察状態であってファインダ光学系及びＡＦセンサユニット３５ａ〜３５ｃの主要構成部材をカメラボディに組み込んだ状態の配置を示したもので、撮影レンズ側から見た正面図である。
【図３】本発明の第１の実施形態に係る一眼レフカメラのシステム構成を示すブロック図である。
【図４】第１の実施形態に於ける視野８０内の測距エリアの例を示した図である。
【図５】本発明の第２の実施形態に於いてファインダ観察状態であってファインダ光学系及びＡＦセンサユニット３５ａ〜３５ｃの主要構成部材をカメラボディに組み込んだ状態の配置を示したもので、カメラボディを上面側より見た図である。
【図６】本発明の第２の実施形態に於いてファインダ観察状態であってファインダ光学系及びＡＦセンサユニット３５ａ〜３５ｃの主要構成部材をカメラボディに組み込んだ状態の配置を示したもので、撮影レンズ側から見た正面図である。
【図７】第２の実施形態に於ける視野８０内の測距エリアの例を示した図である。
【図８】本発明の第３の実施形態に於いてファインダ観察状態であってファインダ光学系及びＡＦセンサユニット３５ａ〜３５ｃの主要構成部材をカメラボディに組み込んだ状態の配置を示したもので、カメラボディを上面側より見た図である。
【図９】本発明の第３の実施形態に於いてファインダ観察状態であってファインダ光学系及びＡＦセンサユニット３５ａ〜３５ｃの主要構成部材をカメラボディに組み込んだ状態の配置を示したもので、撮影レンズ側から見た正面図である。
【図１０】第３の実施形態に於けるサブミラー７８の構成を示した斜視図である。
【符号の説明】
【０１２２】
１０…レンズユニット、１１…撮影レンズ、１２…絞り、１３…レンズ駆動機構、１４…絞り駆動機構、１５…レンズ制御用マイクロコンピュータ（Ｌμｃｏｍ）、２０…通信コネクタ、３０…ボディユニット、３１…クイックリターンミラー（第１ミラー）、３３…接眼レンズ（ルーペ）、３５、３５ａ、３５ｂ、３５ｃ…ＡＦセンサユニット、３７…シャッタ、３８…光学ローパスフィルタ、４０…ＣＣＤユニット、４１…ＣＣＤインターフェース回路、４５…液晶モニタ、４６…画像処理コントローラ、４９…撮像ユニット、５０…ボディ制御用マイクロコンピュータ（Ｂμｃｏｍ）、５１…測光回路、５２…測光センサ、５４…ミラー駆動機構、５５…ＡＦセンサ駆動回路、５６…シャッタチャージ機構、５７…シャッタ制御回路、５８…不揮発性メモリ（ＥＥＰＲＯＭ）、６２…ストロボ、６３…動作表示用ＬＣＤ、６４…カメラ操作スイッチ（ＳＷ）、６５…電源回路、７０…サブミラー、７１…フォーカシングスクリーン、７２…第２ミラー、７３…第３ミラー、７４…第４ミラー。
【図１】
2006072144.tif 000003
【図２】
2006072144.tif 000004
【図３】
2006072144.tif 000005
【図４】
2006072144.tif 000006
【図５】
2006072144.tif 000007
【図６】
2006072144.tif 000008
【図７】
2006072144.tif 000009
【図８】
2006072144.tif 000010
【図９】
2006072144.tif 000011
【図１０】
2006072144.tif 000012